(57)【要約】      （修正有）【課題】読取面を下向きにセットして原稿を読み取る画像読取装置において、原稿を下向きにセットした状態での原稿の位置合わせを装置構成を増大させることなく可能とする。【解決手段】読取部６は、原稿上ユニット２が開かれた状態において、原稿を読み取るために設けられた光源６ｂによって読取部に対向する位置にセットされた原稿を照射することにより、原稿の読取面を背面側に透過させて視認による位置合わせを可能とする。原稿テーブル１側に設けられた複数のローラ４、７、１０と原稿上ユニット側に設けられた複数のローラ５、８、１１とで構成されるローラ対が、原稿の位置合わせがされた状態において原稿上ユニットが閉じられることにより原稿を保持した上で原稿を読み取り開始位置まで搬送する。【選択図】図１
2016015587.tif 000002
【特許請求の範囲】
【請求項１】
読み取る面が対向するように原稿がセットされる原稿台と、
前記原稿台にセットされて搬送される原稿の、前記原稿台に対向する側の面を読み取る原稿読取部と、
前記読取部に対して開閉可能に設けられた原稿上ユニットとを含む画像読取装置であって、
前記読取部は、前記原稿上ユニットが開かれた状態において、前記原稿を読み取るために設けられた光源によって前記読取部に対向する位置にセットされた原稿を照射することにより、前記原稿の読取面を背面側に透過させて視認による位置合わせを可能とし、
前記原稿台側に設けられたローラと前記原稿上ユニット側に設けられたローラとで構成されるローラ対が、前記原稿の位置合わせがされた状態において前記原稿上ユニットが閉じられることにより前記原稿を保持した上で前記原稿を読み取り開始位置まで搬送することを特徴とする画像読取装置。
【請求項２】
前記読取部に対向する位置の主走査方向の一部を遮蔽することにより前記光源から照射される光を遮光する遮光部を含むことを特徴とする請求項１に記載の画像読取装置。
【請求項３】
前記遮光部は、前記読取部による読取結果によって検知された前記原稿の幅に応じて前記読取部に対向する位置の主走査方向の一部を遮蔽することを特徴とする請求項２に記載の画像読取装置。
【請求項４】
前記光源は、前記読取部に対向する位置の主走査方向において複数に分割されて個別に点灯制御されることを特徴とする請求項１に記載の画像読取装置。
【請求項５】
前記光源は、主走査方向において複数に分割された夫々の位置のうち、前記読取部による読取結果によって検知された前記原稿の幅に応じた位置のみ点灯制御されることを特徴とする請求項４に記載の画像読取装置。
【請求項６】
前記原稿台は、前記原稿がセットされる側の裏側から吸気を行うことにより前記原稿台上に前記原稿を保持する吸引機構を含むことを特徴とする請求項１乃至５いずれか１項に記載の画像読取装置。
【請求項７】
読み取る面が対向するように原稿がセットされる原稿台と、
前記原稿台にセットされて搬送される原稿の、前記原稿台に対向する面を読み取る原稿読取部と、
前記読取部に対して開閉可能に設けられた原稿上ユニットとを含む画像読取装置の制御方法であって、
前記原稿上ユニットが開かれた状態において、前記原稿を読み取るために設けられた光源によって前記読取部に対向する位置にセットされた原稿を照射制御することにより、前記原稿の読取面を背面側に透過させて視認による位置合わせを可能とし、
前記原稿の位置合わせがされた状態において前記原稿上ユニットが閉じられることにより、前記原稿台側に設けられたローラと前記原稿上ユニット側に設けられたローラとで構成されるローラ対が前記原稿を保持して前記原稿を読み取り開始位置まで搬送するように前記ローラ対を駆動制御することを特徴とする画像読取装置の制御方法。
【発明の詳細な説明】
【技術分野】
【０００１】
本発明は、画像読取装置及び画像読取装置の制御方法に関し、特に、画像読取装置における原稿の位置合わせに関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能な複合機として構成されることが多い。
【０００３】
このような画像処理装置のうち、原稿を読み取って画像情報を生成することにより情報を電子化するスキャナ等の画像読取装置においては、原稿を下向きにセットして搬送することにより原稿面の読み取りを行う方式が用いられることがある。このような方式の画像読取装置は、例えばＡ０等のような大型の用紙を読み取るための画像読取装置において採用されることが多い。
【０００４】
他方、画像読取装置においては、原稿を意図的に傾けて搬送させることにより、手動で画像の傾きを調整するようなことが行われる。しかしながら、上述したような原稿面が下向きの場合、原稿面を直接視認することが出来ないため、意図した状態とは異なる読取結果となってしまうことがある。これに対して、原稿を下向きにセットした状態で下側から原稿に光を照射することにより、原稿面の画像を背面側に透過させて視認を可能とする方法が提案されている（例えば、特許文献１参照）。
【発明の概要】
【発明が解決しようとする課題】
【０００５】
特許文献１に開示された方法の場合、位置合わせのために原稿を照射するための光源が必要となり、装置構成が増加することによる装置のコストアップにつながってしまう。また、原稿の位置合わせを行った後、原稿を読み取らせる際には原稿挿入位置まで手動で原稿を挿入するため、その過程で、位置合わせを行った向きに対してずれが生じてしまう可能性がある。
【０００６】
本発明は、このような課題を解決するためになされたものであり、読取面を下向きにセットして原稿を読み取る画像読取装置において、原稿を下向きにセットした状態での原稿の位置合わせを装置構成を増大させることなく可能とすることを目的とする。
【課題を解決するための手段】
【０００７】
上記課題を解決するために、本発明の一態様は、読み取る面が対向するように原稿がセットされる原稿台と、前記原稿台にセットされて搬送される原稿の、前記原稿台に対向する側の面を読み取る原稿読取部と、前記読取部に対して開閉可能に設けられた原稿上ユニットとを含む画像読取装置であって、前記読取部は、前記原稿上ユニットが開かれた状態において、前記原稿を読み取るために設けられた光源によって前記読取部に対向する位置にセットされた原稿を照射することにより、前記原稿の読取面を背面側に透過させて視認による位置合わせを可能とし、前記原稿台側に設けられたローラと前記原稿上ユニット側に設けられたローラとで構成されるローラ対が、前記原稿の位置合わせがされた状態において前記原稿上ユニットが閉じられることにより前記原稿を保持した上で前記原稿を読み取り開始位置まで搬送することを特徴とする。
【発明の効果】
【０００８】
本発明によれば、読取面を下向きにセットして原稿を読み取る画像読取装置において、原稿を下向きにセットした状態での原稿の位置合わせを装置構成を増大させることなく可能とすることができる。
【図面の簡単な説明】
【０００９】
【図１】本発明の実施形態に係る画像読取装置の全体構成を示す図である。
【図２】本発明の実施形態に係る原稿位置合わせ動作を示すフローチャートである。
【図３】本発明の実施形態に係る画像読取装置の原稿上ユニットが開いた状態を示す図である。
【図４】本発明の実施形態に係る画像読取装置の原稿上ユニットが開いて光源が点灯した状態を示す図である。
【図５】本発明の実施形態に係る画像読取装置の原稿ユニットが閉じて原稿が保持された状態を示す図である。
【図６】本発明の実施形態に係る画像読取装置における原稿の戻し搬送を示す図である。
【図７】本発明の実施形態に係る原稿読み取り動作を示すフローチャートである。
【図８】本発明の実施形態に係る画像読取装置における原稿の搬送を示す図である。
【図９】本発明の実施形態に係る画像読取装置における定量戻し機能を示す図である。
【図１０】本発明の実施形態に係る光量調整の態様を示す図である。
【図１１】本発明の実施形態に係る原稿テーブルの吸引機構を示す図である。
【図１２】本発明の実施形態に係る画像読取装置において原稿上ユニットが開いた状態の斜視図である。
【図１３】本発明の実施形態に係る画像読取装置における遮光機構を示す図である。
【図１４】本発明の実施形態に係る画像読取装置における光源の分割発光の態様を示す図である。
【発明を実施するための形態】
【００１０】
以下、図面を参照して、本発明の実施形態について説明する。本実施形態においては、Ａ０等のような大型の用紙を読み取る画像読取装置を例として説明する。そのような画像処理装置において、読取原稿をセットした状態での原稿を位置合わせを容易化するための構成や、原稿の位置合わせを行った後の要旨の搬送制御が本実施形態の要旨である。
【００１１】
図１は、本実施形態に係る画像読取装置の全体構成を示す側面図である。本実施形態に係る画像読取装置は、シートスルー方式と呼ばれる用紙の搬送方式を採用している。図１に示すように、シートスルー方式では、読取装置に対し、外光の影響を防止するため、読取部を覆うように原稿上ユニット２が配置されている。
【００１２】
また原稿上ユニット２は、原稿が移動することによるジャム処理のため開閉可能な機構になっている。原稿上ユニット２の開閉は、開閉検知センサ１６によって検知される。そして、入口側従動ローラ５、出口側従動ローラ８及び排紙従動ローラ１１は原稿上ユニット２に保持されている。そのため、原稿上ユニット２が開かれると、入口側従動ローラ５、出口側従動ローラ８及び排紙従動ローラ１１が原稿上ユニット２と共に上昇し、下側に配置されたローラとのニップが解除される。
【００１３】
原稿台である原稿テーブル１上の原稿のセット位置には、原稿挿入センサ１３や原稿サイズセンサ１２等の原稿の有無及びサイズを検知する機構が設けられている。原稿テーブル１上に原稿がセットされ、上述したセンサによる原稿の検知に応じて、入口側駆動ローラ４及び出口側駆動ローラ７が回転する。
【００１４】
原稿のセットとは、入口側駆動ローラ４及び入口側従動ローラ５のニップ部に原稿先端を突き当てた状態のことで、入口側駆動ローラ４が回転することにより原稿が搬送される。そして、原稿はレジストセンサ１４を通過し、原稿読取部である読取部６を経て、出口側駆動ローラ７及び出口側従動ローラ８のニップ部へ搬送される。
【００１５】
読取部６には読取センサ６ａと原稿面を照射する光源６ｂが配置され、読取部の対向側には、白板３及びそれを保持する原稿上ユニット２が配置されている。原稿が読取センサ６ａの読取位置を通過することにより、原稿の表面が読み取られる。原稿の画像面は下方である。
【００１６】
出口側駆動ローラ７及び出口側従動ローラ８によって搬送される原稿は、排出分岐爪９を経て原稿排紙センサ１５によって検知されながら排紙駆動ローラ１０及び排紙従動ローラ１１のニップ部へ搬送され、排紙駆動ローラ１０及び排紙従動ローラ１１によって排紙ガイド１７に沿って排紙トレイ１８上に排紙される。
【００１７】
このような画像読取装置において、本実施形態に係る要旨は、原稿のセットの際の要旨の位置合わせに係る構成や制御にある。以下、本実施形態に係る画像読取装置による原稿読み取り動作について説明しながら、夫々のタイミングにおける画像読取装置の状態について図面を参照して説明する。
【００１８】
図２は、本実施形態に係る画像読取動作を行う前の原稿の位置合わせ動作における画像読取装置の動作を示すフローチャートである。図２に示すように、画像読取装置は、まずユーザの操作による原稿位置調整モードの選択を受け付ける（Ｓ２０１）。これにより、画像読取装置は、本実施形態の要旨に係る原稿位置調整モードに遷移する。尚、Ｓ２０１においては、後述する定量戻し機能の設定も受け付ける。
【００１９】
ユーザは原稿位置調整のため、図３に示すように原稿上ユニット２を持ち上げる。これにより、画像読取装置は、開閉検知センサ１６の機能により、原稿上ユニット２のオープンを検知する（Ｓ２０２）。原稿上ユニットのオープンを検知した画像読取装置は、読取部６に設けられている光源６ｂを点灯制御する（Ｓ２０３）。
【００２０】
これにより、読取部６に対応する読取位置に原稿をセットすると、図４に示すように光源６ｂによる照射光により、読取部６に対向する原稿の面、即ち読取面が原稿の裏側に透過して視認可能となる。このように、読取部６に設けられた光源６ｂによる照射により、原稿の読取面を背面側に透過させることが本実施形態に係る要旨の１つである。
【００２１】
光源６ｂが点灯制御された後、図３に示すように原稿が読取部６による読取位置にセットされると、原稿サイズセンサ１２等のセンサにより、原稿がセットされたことが検知される（Ｓ２０４）。原稿のセットが検知されると、画像読取装置は、原稿幅の検知機能がオンになっているか否かを確認し（Ｓ２０５）、オンになっていた場合（Ｓ２０５／ＹＥＳ）、読取部６の読取センサ６ａによる読取結果を用いた原稿幅の検知処理を実行する（Ｓ２０６）。
【００２２】
ユーザは、図４に示すような状態において原稿の読取面の裏面、即ち読取位置にセットされた原稿の上面側に透過した画像を視認しながら原稿の位置合わせ絵を行う。そして、位置合わせが完了すると、図５に示すように原稿上ユニット２を閉じる。これにより、図５に示すように、読取位置にセットされた原稿は入口側駆動ローラ４と入口側従動ローラ５とによってニップされる。また、図５の例においては、原稿が出口側駆動ローラ７の位置にまで達していないが、セットされた位置によっては、原稿は出口側駆動ローラ７と出口側従動ローラ８とによってもニップされる。
【００２３】
画像読取装置は、装置に設けられたセンサにより原稿上ユニット２のクローズを検知する（Ｓ２０７）。原稿上ユニット２のクローズを検知した画像読取装置は、光源６ｂを消灯制御する（Ｓ２０８）。
【００２４】
図５に示すように原稿がセットされた状態においては、原稿が読取位置に差し掛かっているため、このまま原稿の読取を開始すると、原稿のうち読取位置よりも下流側に位置している部分が読み取られないこととなる。そのため、原稿上ユニット２がクローズされ、原稿がニップされると、画像読取装置は、図６に示すように、上流側への原稿の搬送、即ち戻し搬送を開始する（Ｓ２０９）。
【００２５】
原稿の戻し搬送を開始した画像読取装置は、原稿の戻し搬送の機能として、定量戻し機能がオンになっているか否かを確認する（Ｓ２１０）。定量戻し機能の詳細については後述する。定量戻し機能がオンになっている場合（Ｓ２１０／ＹＥＳ）、画像読取装置は、定量戻し機能において定められている定量搬送距離が経過するまで戻し搬送を継続する（Ｓ２１１／ＮＯ）。
【００２６】
定量戻し機能がオフになっている場合（Ｓ２１０／ＮＯ）、画像読取装置は、レジストセンサ１４の検知状態がオフになるまで戻し搬送を継続する（Ｓ２１２／ＮＯ）。戻し搬送を行い、定量搬送距離が経過した場合（Ｓ２１１／ＹＥＳ）、若しくはレジストセンサ１４の検知状態がオフになった場合（Ｓ２１２／ＹＥＳ）、画像読取装置は、原稿搬送を停止する（Ｓ２１３）。このような処理により画像読取装置における原稿の位置合わせ動作が完了し、原稿の読取準備が整った状態となる。
【００２７】
次に、本実施形態に係る原稿の読取動作について説明する。図７は、本実施形態に係る原稿の読取動作を示すフローチャートである。図７に示すフローチャートは、図２において説明した動作が完了していることが前提となる。図７に示すように、画像読取装置は、スタートボタンの押下を検知すると（Ｓ７０１）、入口側駆動ローラ４及び出口側駆動ローラ７を駆動制御して図８に示すように原稿の下流側への搬送を開始する（Ｓ７０２）。
【００２８】
尚、本実施形態においては、図２に示す動作が完了した後、スタートボタンの押下に応じて読み取り動作を開始する場合を例とするが、図２に示す動作が完了した後、自動的に読取動作を開始しても良い。原稿の搬送を開始した画像読取装置は、上述した定量戻し機能がオンになっているか否かを確認する（Ｓ７０３）。定量戻し機能がオンになっている場合（Ｓ７０３／ＹＥＳ）、画像読取装置は、定量戻し機能において定められている定量搬送距離が経過するまで搬送を継続する（Ｓ７０４／ＮＯ）。
【００２９】
定量戻し機能がオフになっている場合（Ｓ７０３／ＮＯ）、画像読取装置は、レジストセンサ１４の検知状態がオンになるまで搬送を継続する（Ｓ７０５／ＮＯ）。搬送を開始した後、定量搬送距離が経過した場合（Ｓ７０４／ＹＥＳ）、若しくはレジストセンサ１４の検知状態がオフになった場合（Ｓ７０５／ＹＥＳ）、画像読取装置は、読取部６の読取センサ６ａを駆動して読み取りを開始する（Ｓ７０６）。
【００３０】
読み取りを開始した画像読取装置は、レジストセンサ１４の検知状態がオフになるまで読み取りを継続し（Ｓ７０７／ＮＯ）、レジストセンサ１４の検知状態がオフになると（Ｓ７０７／ＹＥＳ）、読取センサ６ａの駆動を停止して読み取りを停止する（Ｓ７０８）。これにより、原稿面を読み取った画像の情報が生成される。
【００３１】
画像読取装置は、読み取りを停止した後も、原稿排紙センサ１５の検知状態がオフになるまで原稿の搬送を継続し（Ｓ７０９／ＮＯ）、原稿排紙センサ１５の検知状態がオフになると（Ｓ７０９／ＹＥＳ）、原稿を原稿排紙位置まで排紙した後（Ｓ７１０）、入口側駆動ローラ４及び出口側駆動ローラ７の駆動を停止して原稿搬送を停止する（Ｓ７１１）。このような処理により、本実施形態に係る画像読取装置による画像読取動作が完了する。
【００３２】
このように、本実施形態に係る画像読取装置においては、読取部６による原稿の読取位置に原稿をセットし、読取部６に設けられた光源６ｂによって原稿を照射することによって原稿の読取部６に対向する面を背面側に透過させる。これにより、読取面の背面側を視認して原稿の位置合わせを行うことが可能となる。また、原稿を照射するための光源としては読取部６の光源６ｂを用いるため、新たに光源を追加する必要がなく、装置構成を増大させることがない。
【００３３】
また、本実施形態に係る画像読取装置においては、ユーザの手動により原稿の位置合わせが行われた状態で原稿上ユニット２を閉じる。これにより、ローラによって原稿がニップされた状態となり、その状態でローラを駆動することにより原稿を読み取り位置まで搬送する。そのため、手動で原稿の位置合わせが行われた後、原稿を読取位置に動かす処理を自動化してユーザの利便性を高めると共に、手動で原稿を動かすことがないため、位置合わせされた状態、即ち用紙の傾きを保った状態で原稿の読み取りを実行することが出来る。
【００３４】
次に、上述した定量戻し機能について説明する。図９（ａ）、（ｂ）は、本実施形態に係る定量戻し機能を説明するための図である。図９（ａ）は、読取部６による読取位置６ｃに原稿Ｐがセットされた状態を示す図である。読取位置６ｃは、読取部６の読取センサ６ａに対向する位置に設けられた透明な部分である。
【００３５】
この読取位置６ｃを介して読取センサ６ａにより原稿面が読み取られる。この読取位置６ｃの透明部分を画定する端部のうち、主走査方向に平行な辺の１つは、副走査方向の基準位置となる副走査方向位置合わせ目印６ｅとして用いられる。また、読取位置６ｃの周囲には、副走査方向に平行な線である主走査方向位置合わせ目印６ｄが複数設けられている。
【００３６】
また、原稿Ｐには、縦横の端部近傍に位置合わせ線Ｐ１、Ｐ２が夫々描かれている。そして、図９（ａ）に示すように原稿Ｐがセットされた状態において、位置合わせ線Ｐ２と主走査方向位置合わせ目印６ｄとを視認して合わせることにより、主走査方向の位置合わせを行うことが可能となる。
【００３７】
読取部６の光源６ｂが点灯制御されると、図９（ｂ）に点線の斜線で示すように光が照射され、照射光によって原稿の読取面側、即ち読取位置６ｃに対向している側の面が透けて視認可能となる。これにより、副走査方向位置合わせ目印６ｅが視認可能となるため、ユーザは、位置合わせ線Ｐ１と副走査方向位置合わせ目印６ｅとを合わせることにより、副走査方向の位置合わせを行うことが可能となる。
【００３８】
このような位置合わせの手法によれば、原稿Ｐが読取位置６ｃに対してどのような位置関係で位置合わせされたかが特定される。図９（ｂ）の例の場合、原稿Ｐは、図中に示すＰ３の分だけ読取位置６ｃからはみ出して位置合わせされることとなる。
【００３９】
従って、原稿Ｐの読取に際しては、図中に示すＰ４の分だけ原稿を戻し搬送することにより、端部が切れることなく原稿の前面を読み取ることが可能となる。このＰ４に応じた距離が図２のＳ２１１や、図７のＳ７０４における定量搬送距離である。尚、上記実施形態においては、戻し搬送の際にも実際の読み取りの搬送の際にも定量搬送距離を判断しているが、例えば図２のＳ２１１において図９（ｂ）のＰ４の分戻し搬送を行った場合、図７においては、搬送開始と同時に読み取りを開始することが出来る。
【００４０】
尚、原稿の端部から読み取りを開始して原稿の全体を読み取る場合の他、原稿の途中から原稿の読み取りを開始するような設定も可能である。このような設定は、図２のＳ２０１においてユーザにより画像読取装置に設けられた動作部に対して行われる。そして、図７のＳ７０４における定量搬送距離が、ユーザによって入力された搬送距離によって制御される。
【００４１】
次に、光源６ｂの光量調整について説明する。光源６ｂの光量は、例えば画像読取装置に設けられた操作部に対する操作によって指定することが可能である。本実施形態に係る光源６ｂの光量調整に際しては、図１０（ａ）〜（ｃ）に示すように、光源のデューティー比の調整により実現される。
【００４２】
図１１は、本実施形態に係る原稿テーブル１を下側から見た状態を示す図である。図１１に示すように、本実施形態に係る原稿テーブル１には無数の穴が開いており、原稿をセットする台の裏側には吸引機構１ａが設けられている。この吸引機構により、図１に矢印で示すように原稿テーブル１の表側から裏側に抜ける気流を発生させることにより、原稿テーブル１の表側にセットされた原稿の保持が可能となる。
【００４３】
吸引機構１ａの吸気の強さは、原稿が原稿テーブル１上において十分に保持され、且つ手動による位置合わせが可能な程度の強さに調整される。尚、吸引機構の１ａによる吸気は、図示しないスイッチのオンオフにより切り替えてもよいし、常時吸引するようにしても良い。
【００４４】
図１２は、図３に示すように原稿上ユニット２を持ち上げた状態を示す画像読取装置の斜視図である。図１２に示す読取位置６ｃに原稿をセットすることにより位置合わせが行われる。ここで、読取部６に設けられた光源６ｂは、読取位置６ｃの主走査方向全体にわたって光を照射するように設けられている。
【００４５】
これに対して、例えば読取位置６ｃの主走査方向の中央部分のみに原稿をセットして位置合わせを行うような場合、主走査方向の両端部から照射される光が読取位置６ｃから漏れ、ユーザがまぶしくなってしまう。これに対して、図１３に示すように、可動式の遮光部である遮光機構６ｆを設けることにより、読取位置６ｃのうち、原稿が重なっていない部分から照射される光を遮蔽し、まぶしさを防ぐことが出来る。
【００４６】
尚、遮光機構６ｆの設置は、ユーザの手動により行っても良いが、画像読取装置による自動制御により実行しても良い。自動制御により実行する場合、例えば図１３に示す原稿ガイド１ｂの設置位置をセンサにより検知し、その設置位置に応じて遮光機構６ｆの設置位置を判断することが出来る。また、図２のＳ２０５、Ｓ２０６に示す原稿幅検知機能を用いて実現することが出来る。Ｓ２０６の原稿幅検知処理によって原稿幅を検知すると、画像読取装置は、検知された原稿幅に応じて遮光機構６ｆを移動させる。これにより、原稿が重なっていない位置を遮光機構６ｆによって塞ぐことが可能となる。
【００４７】
また、読取部６の光源６ｂを主走査方向において分割して個別に制御可能としても良い。これにより、必要な範囲のみ光源６ｂを点灯制御し、上述したように読取位置６ｃのうち、原稿が重なっていない部分から照射される光によるまぶしさを防ぐことが出来る。図１４は、読取位置６ｃの中央部分のみ光源を点灯制御する場合の例を示す図であり、読取位置６ｃのうち、点灯部分をドットのハッチングで示している。
【００４８】
図１４に示すような制御は、例えば図２のＳ２０５、Ｓ２０６に示す原稿幅検知機能を用いて実現することが出来る。Ｓ２０６の原稿幅検知処理によって原稿幅を検知すると、画像読取装置は、検知された原稿幅に応じた位置の光源６ｂのみ点灯状態を継続し、それ以外の位置の光源６ｂを消灯制御する。これにより、図１４に示すような主走査方向の位置に応じた光源６ｂの点灯制御を実現することが可能となる。
【００４９】
尚、上記実施形態においては、図５に示すように、読取部６の上流側に設けられた１組のローラ対、即ち、入口側駆動ローラ４及び入口側従動ローラ５によって原稿が戻し搬送されることにより、位置合わせされた状態の原稿を読み取り開始位置まで搬送する場合を例として説明した。このような構成は、上述したように、位置合わせされた状態の傾きを保ったまま原稿を読み取り開始位置まで搬送するための構成である。
【００５０】
即ち、本実施形態に係る画像読取装置においては、入口側駆動ローラ４及び入口側従動ローラ５によって原稿ニップすることにより、原稿が位置合わせされた状態から傾いてしまうことを防いでいる。これは一例であり、例えば、読取部６の上流側に更にローラ対を増やすことにより、原稿のニップをより確実に行い、上述した原稿の傾きをより好適に防ぐことが出来る。
【００５１】
尚、図２や図７に示すような画像読取装置の制御動作は、内部に設けられたコントローラによって実現される。このコントローラは、ＣＰＵ（Ｃｅｎｔｒａｌ  Ｐｒｏｃｅｓｓｉｎｇ  Ｕｎｉｔ）等の演算装置が、図２や図７に示すような制御動作を実現するためのソフトウェア・プログラムに従って処理を行うことにより実現される。
【符号の説明】
【００５２】
１  原稿テーブル
１ａ  吸引機構
２  原稿上ユニット
３  白板
４  入口側駆動ローラ
５  入口側従動ローラ
６  読取部
６ａ  読取センサ
６ｂ  光源
６ｃ  読取位置
６ｄ  主走査方向位置合わせ目印
６ｅ  副走査方向位置合わせ目印
６ｆ  遮光機構
７  出口側駆動ローラ
８  出口側従動ローラ
９  排出分岐爪
１０  排紙駆動ローラ
１１  排紙従動ローラ
１２  原稿サイズセンサ
１３  原稿挿入センサ
１４  レジストセンサ
１５  原稿排紙センサ
１６  開閉検知センサ
１７  排紙ガイド
１８  排紙トレイ
【先行技術文献】
【特許文献】
【００５３】
【特許文献１】特開２０１３−４２２９３号公報
【図１】
2016015587.tif 000003
【図２】
2016015587.tif 000004
【図３】
2016015587.tif 000005
【図４】
2016015587.tif 000006
【図５】
2016015587.tif 000007
【図６】
2016015587.tif 000008
【図７】
2016015587.tif 000009
【図８】
2016015587.tif 000010
【図９】
2016015587.tif 000011
【図１０】
2016015587.tif 000012
【図１１】
2016015587.tif 000013
【図１２】
2016015587.tif 000014
【図１３】
2016015587.tif 000015
【図１４】
2016015587.tif 000016